(57)【要約】      （修正有）【課題】少ない洗浄水量で汚物等の排出を良好に行うことができる水洗式便器を提供する。【解決手段】水洗式便器は、便鉢部１０と、便鉢部１０の前後一方の側面下部に開口した流入口３１を有する便器排水路３０とを備え、洗浄水が滞留する溜水部を形成している。溜水部に洗浄水を滞留することによって形成される便鉢部１０内の溜水面が、便鉢部１０の左右方向の最大幅となる左右端部４２Ａ、４２Ｂより流入口３１に近い側において、流入口３１の中心を通り、便鉢部１０の前後方向に延びる仮想垂直面Ａ上付近に設けた流入口３１に近い側の端部４３と左右端部４２Ａ、４２Ｂの夫々とを頂部とした略三角形状である。【選択図】図１
2014047571.tif 000002
【特許請求の範囲】
【請求項１】
便鉢部と、この便鉢部の前後一方の側面下部に開口した流入口を有する便器排水路とを備え、洗浄水が滞留する溜水部を形成した水洗式便器であって、
前記溜水部に洗浄水を滞留することによって形成される前記便鉢部内の溜水面が、前記便鉢部の左右方向の最大幅となる左右端部より前記流入口に近い側において、前記流入口の中心を通り、前記便鉢部の前後方向に延びる仮想垂直面上付近に設けた前記流入口に近い側の端部と前記左右端部の夫々とを頂部とした略三角形状であることを特徴とする水洗式便器。
【請求項２】
前記流入口は前記便鉢部の左右中央に開口していることを特徴とする請求項１記載の水洗式便器。
【請求項３】
前記溜水面の左右端部の夫々から前記流入口に近い側の端部を結んだ２本の仮想直線が交差して前記溜水面の中心側に形成された角が鋭角であることを特徴とする請求項１又は２記載の水洗式便器。
【請求項４】
前記溜水面は、前記左右端部より前記流入口に遠い側において、前記流入口に遠い側の端部と前記左右端部の夫々とを頂部とした略逆三角形状であり、全体として、前記流入口に近い側の端部、前記左右端部、及び遠い側の端部を頂部とした略ひし形状であることを特徴とする請求項１乃至３のいずれか１項記載の水洗式便器。
【発明の詳細な説明】
【技術分野】
【０００１】
本発明は水洗式便器に関する。
【背景技術】
【０００２】
特許文献１は従来の水洗式便器を開示している。この水洗式便器は、便鉢部と、この便鉢部の後側の側面下部に開口した流入口を有した便器排水路とを備え、洗浄水が滞留する溜水部を形成している。この水洗式便器は溜水部に洗浄水が滞留することによって形成される便鉢部内の溜水面が卵形状である。この水洗式便器は、便鉢部の上部周縁から一方向に洗浄水が吐水されると、水平面視において、便鉢部内を一方向に旋回する旋回流が形成される。溜水面が卵形状であることから、旋回流は少なくとも溜水面の上下近傍の便鉢部の表面に沿ってスムーズに流れることができ、旋回力が衰えずに浮遊系汚物を中央に集めることができる。このため、この水洗式便器は、浮遊系汚物が旋回流の外側に広がることを抑制し、流入口から便器排水路に排出することができる。
【先行技術文献】
【特許文献】
【０００３】
【特許文献１】特開２００９−２８７３３１号公報
【発明の概要】
【発明が解決しようとする課題】
【０００４】
しかし、特許文献１の水洗式便器は、水平面視において、便鉢部内を洗浄水が旋回するため、旋回流の旋回力が強いと、洗浄水が便器排水路の流入口に向けて流れ難くなる。この場合、流入口から便器排水路に流れ込む洗浄水の流れが弱くなるため、洗浄水が汚物等を流入口から便器排水路内へ押し込む力が弱くなり、汚物等の排出を良好に行うことができないおそれがある。このため、この水洗式便器は、汚物等の排出能力を高めるために便鉢部に供給する洗浄水量を多くし、便器排水路の流入口に向けて流れる洗浄水の勢いを増加する必要があり、節水化を図ることが困難である。
【０００５】
本発明は、上記従来の実情に鑑みてなされたものであって、少ない洗浄水量で汚物等の排出を良好に行うことができる水洗式便器を提供することを解決すべき課題としている。
【課題を解決するための手段】
【０００６】
本発明の水洗式便器は、便鉢部と、この便鉢部の前後一方の側面下部に開口した流入口を有する便器排水路とを備え、洗浄水が滞留する溜水部を形成した水洗式便器であって、
前記溜水部に洗浄水を滞留することによって形成される前記便鉢部内の溜水面が、前記便鉢部の左右方向の最大幅となる左右端部より前記流入口に近い側において、前記流入口の中心を通り、前記便鉢部の前後方向に延びる仮想垂直面上付近に設けた前記流入口に近い側の端部と前記左右端部の夫々とを頂部とした略三角形状であることを特徴とする。
【０００７】
この水洗式便器は、便鉢部内の溜水面が、溜水面の左右端部より流入口に近い側において、流入口に近い側の端部と左右端部の夫々とを頂部とした略三角形状である。便鉢部内の溜水面がこのような形状であることから、少なくとも溜水面の上下近傍の便鉢部の表面に沿って、溜水面の左右端部の一方から流入口に近い側の端部に向けた洗浄水の流れを形成することができる。つまり、この水洗式便器は、洗浄水を便鉢部に供給し、便鉢部内を水平面視で旋回する旋回流が形成されても、流入口に向けた洗浄水の流れを形成することができるため、洗浄水が汚物等を流入口から便器排水路内へ良好に押し込むことができ、少ない洗浄水量でも汚物等の排出を良好に行うことができる。
【０００８】
したがって、本発明の水洗式便器は少ない洗浄水量で汚物等の排出を良好に行うことができる。
【図面の簡単な説明】
【０００９】
【図１】実施例の水洗式便器の平面図である。
【図２】実施例の水洗式便器の断面図である。
【発明を実施するための形態】
【００１０】
本発明における好ましい実施の形態を説明する。
【００１１】
前記流入口は前記便鉢部の左右中央に開口し得る。この場合、便鉢部を左右対称形状に形成することができるため、便鉢部に供給した洗浄水が便鉢部内を水平面視で旋回する旋回流を形成し易くなる。また、流入口を便鉢部の左右中央に開口すると、便鉢部内の洗浄水の流れ方向を大きく変更することなく、流入口に向けた流れを形成することができる。このため、洗浄水が流入口に向けてスムーズに流れ、汚物等を流入口から便器排水路内へ良好に押し込むことができ、少ない洗浄水でも汚物等の排出を良好に行うことができる。
【００１２】
前記溜水面の左右端部の夫々から前記流入口に近い側の端部を結んだ２本の仮想直線が交差して前記溜水面の中心側に形成された角が鋭角であり得る。この場合、便鉢部の表面に沿って、溜水面の左右端部の一方から流入口に近い側の端部に向けた流れが、左右端部の他方側に流れるためには流れ方向を急激（鋭角）に変更しなければならない。このため、便鉢部の表面に沿って、溜水面の左右端部に一方から流入口に近い側の端部に向けて流れる洗浄水の多くは流れ方向の変更が少ない流入口に向けて流れる。よって、この水洗式便器は、洗浄水が汚物等を流入口から便器排水路内へ良好に押し込むことができ、少ない洗浄水でも汚物等の排出を良好に行うことができる。
【００１３】
前記溜水面は、前記左右端部より前記流入口に遠い側において、前記流入口に遠い側の端部と前記左右端部の夫々とを頂部とした略逆三角形状であり、全体として、前記流入口に近い側の端部、前記左右端部、及び遠い側の端部を頂部とした略ひし形状であり得る。この場合、溜水面の前後、左右の寸法を確保しつつ、溜水部に貯留する洗浄水量を少なくすることができる。このため、この水洗式便器は便器洗浄に利用する洗浄水量を少なくすることができる。特に、サイホン式水洗便器の場合、溜水面の前後、左右の寸法がＪＩＳ規格に規程されているため、溜水面を略ひし形状にすることは節水化を図る手段として有効である。
【００１４】
次に、本発明の水洗式便器を具体化した実施例について、図面を参照しつつ説明する。
【００１５】
＜実施例＞
実施例の水洗式便器は、図１及び図２に示すように、便鉢部１０と、便器排水路３０とを備えたサイホン式水洗便器である。この水洗式便器は上面後部に図示しない洗浄タンクを載置する載置部５０を形成している。この水洗式便器は、便器洗浄を実行すると、洗浄タンクに貯留した洗浄水を便鉢部１０の上部周縁から一方向に吐水する。便鉢部１０内に流入した洗浄水は便鉢部１０内に平面視で反時計方向に旋回する旋回流を形成する。
【００１６】
便鉢部１０は、平面視において、前部が曲率の大きく、かつ後部が曲率の小さい卵形状である。便鉢部１０は、図２に示すように、周縁部１０Ａの表面が内側に向かって下降する緩やかな傾斜面である。また、便鉢部１０は、この周縁部１０Ａの内側に連続して後述する溜水面４１の上下近傍を形成する部分１０Ｂの表面が垂直に近い急な傾斜面である。さらに、便鉢部１０は、この急な傾斜面の下端部に連続し、便器排水路３０の後述する流入口３１に連続する導入部１０Ｃを形成している。
【００１７】
便器排水路３０は便鉢部１０の後側の側面下部に開口した流入口３１を有している。流入口３１は、図１に示すように、便鉢部１０の左右中央に開口している。便器排水路３０は、図２に示すように、流入口３１から上昇する上昇流路３０Ａと、上昇流路３０Ａの下流端である上端部に連続して下降する下降流路３０Ｂと、下降流路３０Ｂの下流端である下端部に連続して後方に開口する排出口３２を形成する横引き流路３０Ｃとを有している。つまり、この便器排水路３０はＰトラップを形成している。排出口３２は水洗式便器が設置されるトイレ室に引き出された排水管７０に連通する。この水洗式便器は、便器洗浄を実行すると、下降流路３０Ｂを流下する洗浄水によって、下降流路３０Ｂと横引き流路３０Ｃとの境界部に水膜が形成され、便器排水路３０内にサイホン作用が発生する。このように、この水洗式便器は、サイホン作用を利用して、便鉢部１０内の汚物等を便器排水路３０を介して排出口３２から排出することができる。
【００１８】
水洗式便器は、上昇流路３０Ａ内及び便鉢部１０内であって、上昇流路３０Ａの下流端の頂部３３より下方の部分が洗浄水が滞留する溜水部４０である。この溜水部４０に洗浄水を満水状態で滞留し、便鉢部１０内に形成される水面が、図１及び図２に示すように、便鉢部１０内の溜水面４１である。
【００１９】
この溜水面４１は、図１に示すように、便鉢部１０の左右方向の最大幅となる左右端部４２Ａ、４２Ｂと、この左右端部４２Ａ、４２Ｂより流入口３１に近い側の端部である第１端部４３と、流入口３１に遠い側の端部である第２端部４４とを有している。
【００２０】
溜水面４１の第１端部４３は、流入口３１の中心を通り、便鉢部１０の前後方向に延びる仮想垂直面Ａ上（図２において、紙面が仮想垂直面に相当する。）に設けられている。つまり、この水洗式便器は流入口３１が便鉢部１０の左右中央に開口しているため、第１端部４３は便鉢部１０の左右中央に位置している。
【００２１】
溜水面４１の第２端部４４も仮想垂直面Ａ上に設けられており、便鉢部１０の左右中央に位置している。溜水面４１の左右端部４２Ａ、４２Ｂは便鉢部１０の左右中心線に対して対称位置に設けられている。
【００２２】
溜水面４１は、左右端部４２Ａ、４２Ｂより流入口３１に近い側において、第１端部４３と左右端部４２Ａ、４２Ｂの夫々とを頂部とした略三角形状である。つまり、左右端部４２Ａ、４２Ｂより流入口３１に近い側における溜水面４１の周縁は、第１端部４３において曲線で連続し、左右端部４２Ａ、４２Ｂの夫々から第１端部４３を結んだ２本の仮想直線Ｘ、Ｙの夫々よりも僅かに外側に膨らんだ曲線で形成されており、溜水面４１の左右端部４２Ａ、４２Ｂより流入口３１に近い側における形状は略三角形状である。２本の仮想直線Ｘ、Ｙが交差して溜水面４１の中心側に形成された角αが鋭角になるように溜水面４１が形成されている。
【００２３】
溜水面４１がこのような形状であることから、少なくとも溜水面４１の上下近傍の便鉢部１０の表面に沿って、溜水面４１の左右端部の一方（４２Ａ）から第１端部４３に向けた流れを形成することができる。つまり、この水洗式便器は、洗浄水を便鉢部１０に供給し、便鉢部１０内を水平面視で反時計方向に旋回する旋回流が形成されても、流入口３１に向けた洗浄水の流れを形成することができるため、洗浄水が汚物等を流入口３１から便器排水路３０内へ良好に押し込むことができ、少ない洗浄水量でも汚物等の排出を良好に行うことができる。
【００２４】
したがって、実施例の水洗式便器は少ない洗浄水量で汚物等の排出を良好に行うことができる。
【００２５】
また、流入口３１が便鉢部１０の左右中央に開口しているため、便鉢部１０を左右対称形状に形成することができる。このため、便鉢部１０に供給した洗浄水が便鉢部１０内を水平面視で旋回する旋回流を形成し易くなる。また、旋回流の流れ方向を大きく変更することなく、流入口３１に向けた流れを形成することができる。このため、洗浄水が流入口３１に向けてスムーズに流れ、汚物等を流入口３１から便器排水路３０内へ良好に押し込むことができ、少ない洗浄水でも汚物等の排出を良好に行うことができる。
【００２６】
さらに、２本の仮想直線Ｘ、Ｙが交差して溜水面４１の中心側に形成された角αが鋭角になるように溜水面４１が形成されているため、便鉢部１０の表面に沿って、溜水面４１の左右端部の一方（４２Ａ）から第１端部４３に向けた流れが、左右端部の他方４２Ｂ側に流れるためには流れ方向を急激（鋭角）に変更しなければならない。このため、便鉢部１０の表面に沿って、溜水面４１の左右端部に一方（４２Ａ）から第１端部４３に向けて流れる洗浄水の多くは流れ方向の変更が少ない流入口３１に向けて流れる。よって、この水洗式便器は、洗浄水が汚物等を流入口３１から便器排水路３０内へ良好に押し込むことができ、少ない洗浄水でも汚物等の排出を良好に行うことができる。
【００２７】
溜水面４１は、左右端部４２Ａ、４２Ｂより流入口３１に遠い側において、第２端部４４と左右端部４２Ａ、４２Ｂの夫々とを頂部とした略逆三角形状である。つまり、左右端部４２Ａ、４２Ｂより流入口３１に遠い側における溜水面４１の周縁は、第２端部４４において曲線で連続し、左右端部４２Ａ、４２Ｂの夫々から第２端部４４を結んだ２本の仮想直線よりも僅かに外側に膨らんだ曲線で形成されており、溜水面４１の左右端部４２Ａ、４２Ｂより流入口３１に遠い側における形状は略逆三角形状である。
【００２８】
溜水面４１は、全体として第１端部４３、左右端部４２Ａ、４２Ｂ、及び第２端部４４を頂部とした略ひし形状である。溜水面４１がこのような形状であることから、溜水面４１の前後、左右の寸法を確保しつつ、溜水部４０に貯留する洗浄水量を少なくすることができる。このため、この水洗式便器は便器洗浄に利用する洗浄水量を少なくすることができる。特に、サイホン式水洗便器は、溜水面４１の前後、左右の寸法がＪＩＳ規格に規程されているため、溜水面４１を略ひし形状にすることは節水化を図る手段として有効である。
【００２９】
本発明は上記記述及び図面によって説明した実施例に限定されるものではなく、例えば次のような実施例も本発明の技術的範囲に含まれる。
（１）実施例では、溜水面を全体として略ひし形状に形成したが、左右端部より流入口に遠い側の溜水面は略逆三角形状でなく、円形状、楕円形状等であってもよい。
（２）実施例では、流入口が便鉢部の左右中央に開口していたが、左右どちらか一方に偏った位置に開口していてもよい。
（３）実施例では、第１端部と左右端部の夫々とを結んだ２本の仮想直線が交差して溜水面の中心側に形成された角が鋭角であったが、この角が鈍角であってもよい。
（４）実施例では、流入口が便鉢部の後側の側面下部に開口したが、流入口が便鉢部の前側の側面下部に開口するものであってもよい。
（５）実施例では、サイホン式水洗便器であったが、サイホン式以外の洗浄方式の水洗式便器であってもよい。
（６）実施例では、便器排水路がＰトラップを形成した水洗式便器であったが、Ｓトラップを形成した水洗式便器であってもよい。
（７）実施例では、第１端部及び第２端部を仮想垂直面上に設けたが、第１端部及び第２端部は流入口の左右幅内であれば、便鉢部の左右方向にずれた位置に設けてもよい。
（８）実施例では、溜水面の上下近傍を形成する部分の便鉢部の表面を垂直に近い急な傾斜面で形成したが、急な傾斜面でなくてもよい。この場合、溜水面の左右端部より流入口に近い側において、溜水部が略三角形状に形成されるのであれば、便鉢部の全体において表面を略同じ傾斜になるように形成してもよい。
【符号の説明】
【００３０】
１０…便鉢部
３０…便器排水路
３１…流入口
４０…溜水部
４１…溜水面
４２Ａ、４２Ｂ…左右端部
４３…第１端部（流入口に近い側の端部）
４４…第２端部（流入口に遠い側の端部）
Ａ…仮想垂直面
Ｘ、Ｙ…仮想直線
【図１】
2014047571.tif 000003
【図２】
2014047571.tif 000004